(57)【要約】【課題】紙幣と硬貨とが互いに異なるタイミングに投入されるように誘導することが可能な、現金取引装置を提供する。【解決手段】入金する紙幣の投入を受け付ける紙幣投入部と、入金する硬貨の投入を受け付ける硬貨投入部と、前記紙幣投入部の開口部を開閉するための紙幣シャッタと、入金取引が選択された場合に、第１の処理と第２の処理とのうちのいずれか一方を実行し、かつ、当該処理の終了後に前記第１の処理と前記第２の処理とのうちのいずれか他方を実行する制御部と、を備え、前記第１の処理は、前記開口部が閉状態から開状態になるように前記紙幣シャッタを制御し、かつ、前記開口部が前記開状態から前記閉状態になるように前記紙幣シャッタを制御することを含み、前記第２の処理は、前記硬貨投入部に投入された硬貨の搬送を制御することを含む、現金取引装置。【選択図】図１
2019046129.tif 000002
【特許請求の範囲】
【請求項１】
入金する紙幣の投入を受け付ける紙幣投入部と、
入金する硬貨の投入を受け付ける硬貨投入部と、
前記紙幣投入部の開口部を開閉するための紙幣シャッタと、
入金取引が選択された場合に、第１の処理と第２の処理とのうちのいずれか一方を実行し、かつ、当該処理の終了後に前記第１の処理と前記第２の処理とのうちのいずれか他方を実行する制御部と、
を備え、
前記第１の処理は、前記開口部が閉状態から開状態になるように前記紙幣シャッタを制御し、かつ、前記開口部が前記開状態から前記閉状態になるように前記紙幣シャッタを制御することを含み、
前記第２の処理は、前記硬貨投入部に投入された硬貨の搬送を制御することを含む、現金取引装置。
【請求項２】
前記第１の処理は、前記開状態になった際に前記開口部に投入された紙幣の搬送を制御することをさらに含む、請求項１に記載の現金取引装置。
【請求項３】
前記入金取引が選択された場合には、前記制御部は、前記第２の処理を前記第１の処理よりも先に実行し、かつ、前記第２の処理の終了後に前記第１の処理を実行する、請求項１または２に記載の現金取引装置。
【請求項４】
表示部をさらに備え、
前記入金取引が選択された場合に、前記制御部は、紙幣と硬貨とのうちのいずれを先に投入するかを選択させるための選択画面を前記表示部に表示させ、前記選択画面に対するユーザの操作に応じて前記第１の処理と前記第２の処理とのうちのいずれか一方を実行し、かつ、当該処理の終了後に前記第１の処理と前記第２の処理とのうちのいずれか他方を実行する、請求項１または２に記載の現金取引装置。
【請求項５】
前記選択画面において紙幣を先に投入することが選択された場合には、前記制御部は、前記第１の処理を前記第２の処理よりも先に実行し、かつ、前記第１の処理の終了後に前記第２の処理を実行し、
前記選択画面において硬貨を先に投入することが選択された場合には、前記制御部は、前記第２の処理を前記第１の処理よりも先に実行し、かつ、前記第２の処理の終了後に前記第１の処理を実行する、請求項４に記載の現金取引装置。
【請求項６】
接触または近接されたカードから前記カードに格納されているユーザの識別情報を読み取るカードリーダ部をさらに備え、
前記入金取引が選択された場合には、前記制御部は、前記カードリーダ部により読み取られたユーザの識別情報に応じて前記第１の処理と前記第２の処理とのうちのいずれか一方を実行し、かつ、当該処理の終了後に前記第１の処理と前記第２の処理とのうちのいずれか他方を実行する、請求項１または２に記載の現金取引装置。
【請求項７】
前記入金取引が選択された場合には、前記制御部は、現在が所定の時間帯内であるか否かに応じて前記第１の処理と前記第２の処理とのうちのいずれか一方を実行し、かつ、当該処理の終了後に前記第１の処理と前記第２の処理とのうちのいずれか他方を実行する、請求項１または２に記載の現金取引装置。
【請求項８】
表示部をさらに備え、
前記第１の処理は、前記開口部への紙幣の投入を誘導するための紙幣投入誘導画面を前記表示部に表示させ、前記紙幣投入誘導画面の表示以降に前記開口部が前記閉状態から前記開状態になるように前記紙幣シャッタを制御し、かつ、前記開口部が前記開状態から前記閉状態になるように前記紙幣シャッタを制御することを含み、
前記第２の処理は、前記硬貨投入部への硬貨の投入を誘導するための硬貨投入誘導画面を前記表示部に表示させ、かつ、前記硬貨投入誘導画面の表示以降に、前記硬貨投入部への投入が検知された硬貨を前記現金取引装置内へ搬送させることを含む、請求項１〜７のいずれか一項に記載の現金取引装置。
【発明の詳細な説明】
【技術分野】
【０００１】
本発明は、現金取引装置に関する。
【背景技術】
【０００２】
近年、例えば小売店やスーパーマーケットなどの商業施設および流通施設において、キャッシュレジスターなどに保管される釣銭準備金を出金し、売上金を入金する入出金機等の現金取引装置が設置されている。このような現金取引装置では、通常、紙幣を入金するための投入口と、硬貨を入金するための投入口とが設けられている。
【０００３】
例えば、下記特許文献１には、硬貨投入方式を一括投入方式と逐次投入方式とのいずれかに設定可能であり、そして、入金取引時に、一括投入方式に設定されている状態では硬貨一括投入口を開放させ、また、逐次投入方式に設定されている状態では硬貨逐次投入口を開放させる技術が記載されている。
【先行技術文献】
【特許文献】
【０００４】
【特許文献１】特開２０１５−１２５５８８号公報
【発明の概要】
【発明が解決しようとする課題】
【０００５】
しかしながら、特許文献１に記載の技術では、紙幣と硬貨とが互いに異なるタイミングに投入されるように誘導することは考慮されていない。このため、特許文献１に記載の技術では、例えば、紙幣と硬貨とが同じ投入口に同時に投入される恐れがあった。
【０００６】
そこで、本発明は、上記問題に鑑みてなされたものであり、本発明の目的とするところは、紙幣と硬貨とが互いに異なるタイミングに投入されるように誘導することが可能な、新規かつ改良された現金取引装置を提供することにある。
【課題を解決するための手段】
【０００７】
上記課題を解決するために、本発明のある観点によれば、入金する紙幣の投入を受け付ける紙幣投入部と、入金する硬貨の投入を受け付ける硬貨投入部と、前記紙幣投入部の開口部を開閉するための紙幣シャッタと、入金取引が選択された場合に、第１の処理と第２の処理とのうちのいずれか一方を実行し、かつ、当該処理の終了後に前記第１の処理と前記第２の処理とのうちのいずれか他方を実行する制御部と、を備え、前記第１の処理は、前記開口部が閉状態から開状態になるように前記紙幣シャッタを制御し、かつ、前記開口部が前記開状態から前記閉状態になるように前記紙幣シャッタを制御することを含み、前記第２の処理は、前記硬貨投入部に投入された硬貨の搬送を制御することを含む、現金取引装置が提供される。
【０００８】
前記第１の処理は、前記開状態になった際に前記開口部に投入された紙幣の搬送を制御することをさらに含んでもよい。
【０００９】
前記入金取引が選択された場合には、前記制御部は、前記第２の処理を前記第１の処理よりも先に実行し、かつ、前記第２の処理の終了後に前記第１の処理を実行してもよい。
【００１０】
表示部をさらに備え、前記入金取引が選択された場合に、前記制御部は、紙幣と硬貨とのうちのいずれを先に投入するかを選択させるための選択画面を前記表示部に表示させ、前記選択画面に対するユーザの操作に応じて前記第１の処理と前記第２の処理とのうちのいずれか一方を実行し、かつ、当該処理の終了後に前記第１の処理と前記第２の処理とのうちのいずれか他方を実行してもよい。
【００１１】
前記選択画面において紙幣を先に投入することが選択された場合には、前記制御部は、前記第１の処理を前記第２の処理よりも先に実行し、かつ、前記第１の処理の終了後に前記第２の処理を実行し、前記選択画面において硬貨を先に投入することが選択された場合には、前記制御部は、前記第２の処理を前記第１の処理よりも先に実行し、かつ、前記第２の処理の終了後に前記第１の処理を実行してもよい。
【００１２】
接触または近接されたカードから前記カードに格納されているユーザの識別情報を読み取るカードリーダ部をさらに備え、前記入金取引が選択された場合には、前記制御部は、前記カードリーダ部により読み取られたユーザの識別情報に応じて前記第１の処理と前記第２の処理とのうちのいずれか一方を実行し、かつ、当該処理の終了後に前記第１の処理と前記第２の処理とのうちのいずれか他方を実行してもよい。
【００１３】
前記入金取引が選択された場合には、前記制御部は、現在が所定の時間帯内であるか否かに応じて前記第１の処理と前記第２の処理とのうちのいずれか一方を実行し、かつ、当該処理の終了後に前記第１の処理と前記第２の処理とのうちのいずれか他方を実行してもよい。
【００１４】
表示部をさらに備え、前記第１の処理は、前記開口部への紙幣の投入を誘導するための紙幣投入誘導画面を前記表示部に表示させ、前記紙幣投入誘導画面の表示以降に前記開口部が前記閉状態から前記開状態になるように前記紙幣シャッタを制御し、かつ、前記開口部が前記開状態から前記閉状態になるように前記紙幣シャッタを制御することを含み、前記第２の処理は、前記硬貨投入部への硬貨の投入を誘導するための硬貨投入誘導画面を前記表示部に表示させ、かつ、前記硬貨投入誘導画面の表示以降に、前記硬貨投入部への投入が検知された硬貨を前記現金取引装置内へ搬送させることを含んでもよい。
【発明の効果】
【００１５】
以上説明したように本発明によれば、紙幣と硬貨とが互いに異なるタイミングに投入されるように誘導することができる。
【図面の簡単な説明】
【００１６】
【図１】本発明の各実施形態に共通する現金取引装置１０の外観構成の例を示した図である。
【図２】各実施形態に共通する現金取引装置１０の構成を示したブロック図である。
【図３】第１の実施形態に係る紙幣投入誘導画面の表示例を示した図である。
【図４】第１の実施形態に係る硬貨投入誘導画面の表示例を示した図である。
【図５】第１の実施形態に係る処理の全体的な流れを示したフローチャートである。
【図６】第１の実施形態に係る「硬貨投入用制御」の流れを示したフローチャートである。
【図７】第１の実施形態に係る「紙幣投入用制御」の流れを示したフローチャートである。
【図８】第２の実施形態に係る投入順序選択画面の表示例を示した図である。
【図９】第２の実施形態に係る処理の流れを示したフローチャートである。
【図１０】第３の実施形態に係る処理の流れを示したフローチャートである。
【図１１】第４の実施形態に係る処理の流れを示したフローチャートである。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する複数の構成要素を、同一の符号の後に異なるアルファベットを付して区別する場合もある。例えば、実質的に同一の機能構成を有する複数の構成要素を、必要に応じて選択ボタン３００ａおよび選択ボタン３００ｂのように区別する。ただし、実質的に同一の機能構成を有する複数の構成要素の各々を特に区別する必要がない場合、同一符号のみを付する。例えば、選択ボタン３００ａおよび選択ボタン３００ｂを特に区別する必要が無い場合には、単に選択ボタン３００と称する。
【００１９】
また、以下に示す項目順序に従って当該「発明を実施するための形態」を説明する。
１．現金取引装置の基本構成
２．各実施形態の詳細な説明
２−１．第１の実施形態
２−２．第２の実施形態
２−３．第３の実施形態
２−４．第４の実施形態
３．変形例
【００２０】
＜＜１．現金取引装置の基本構成＞＞
＜１−１．基本構成＞
まず、本発明の各実施形態に共通する現金取引装置１０の基本構成について説明する。現金取引装置１０は、例えば入出金機など、入金機能を有する装置である。現金取引装置１０は、例えば小売店やスーパーマーケットなどの店舗のバックヤードに設置され得る。
【００２１】
図１は、各実施形態に共通する現金取引装置１０の外観構成の例を示した図である。また、図２は、各実施形態に共通する現金取引装置１０の構成を示したブロック図である。図２に示したように、現金取引装置１０は、紙幣投入部１００、紙幣鑑別部１０４、紙幣一時保留部１０６、万券カセット１０８ａ、五千券カセット１０８ｂ、千券カセット１０８ｃ、売上回収カセット１１０、リジェクト部１１２、硬貨投入部１２０、硬貨鑑別部１２２、硬貨一時保留部１２４、硬貨返却箱１２６、出金ホッパ１２８、硬貨出金箱１３０、カードリーダ部１４０、操作表示部１４２、施封部１４４、レシートプリンタ部１４６、および、制御部１５０を備える。
【００２２】
紙幣投入部１００は、ユーザ（オペレータなど）による紙幣の投入を受け付ける。紙幣投入部１００には開口部が設けられており、かつ、図１に示したように、当該開口部を開閉するための紙幣シャッタ１０２が紙幣投入部１００に設けられている。紙幣シャッタ１０２は、当該開口部を覆う位置と、当該開口部全体を開ける位置との間でスライド移動する部材であり得る。
【００２３】
当該開口部は、現金の投入時のみ開状態（つまり、当該開口部が紙幣シャッタ１０２により閉じられていない状態）にされ、現金の投入時以外には閉状態（つまり、当該開口部が紙幣シャッタ１０２により閉じられている状態）にされ得る。例えば、後述する制御部１５０は、現金投入時には、まず、紙幣投入部１００の開口部が閉状態から開状態になるように紙幣シャッタ１０２を制御する（例えば、紙幣シャッタ１０２を移動させる）。そして、現金が投入された後に、制御部１５０は、当該開口部が開状態から閉状態になるように紙幣シャッタ１０２を制御する（例えば、紙幣シャッタ１０２を移動させる）。
【００２４】
また、紙幣投入部１００は、紙幣の出金口でもある。例えば、出金取引により出金される紙幣、および、後述する紙幣鑑別部１０４により正常ではないとしてリジェクトされた紙幣などが紙幣投入部１００に排出される。
【００２５】
紙幣鑑別部１０４は、紙幣投入部１００から投入された紙幣が正常な紙幣（正券）であるか否かや、当該紙幣の金種などを各種センサによって鑑別する。なお、例えば、後述する制御部１５０は、当該鑑別結果に基づいて、正券と鑑別された紙幣の金種別の枚数を計数する。
【００２６】
紙幣一時保留部１０６には、例えば入金計数時などに、一時的に紙幣が集積される。例えば、入金取引時に、紙幣鑑別部１０４により正券であると鑑別された紙幣が紙幣一時保留部１０６に一時的に集積される。
【００２７】
万券カセット１０８ａ、五千券カセット１０８ｂ、および、千券カセット１０８ｃ（以下、各リサイクルカセット１０８と称する場合がある）はそれぞれ、万券、五千券、または、千券の紙幣を収納する場所である。例えば、入金取引時などに、紙幣一時保留部１０６に一時的に集積された紙幣が各リサイクルカセット１０８に搬送され、収納される。また、出金取引時には、例えば出金額に相当する金種別の枚数の紙幣が各リサイクルカセット１０８から取り出され、そして、紙幣投入部１００へ搬送される。
【００２８】
売上回収カセット１１０は、売上回収のためのカセットである。例えば、自動計数時に各リサイクルカセット１０８から紙幣が搬送され、売上回収カセット１１０に収納（退避）される。
【００２９】
リジェクト部１１２は、例えば紙幣鑑別部１０４によって正常ではないと鑑別された紙幣などのリジェクト紙幣を集積する。例えば、入金取引時に紙幣一時保留部１０６から各リサイクルカセット１０８に紙幣を搬送する際にリジェクトされた紙幣、各リサイクルカセット１０８から出金を行う際にリジェクトされた紙幣、および、売上回収時に各リサイクルカセット１０８から売上回収カセット１１０に紙幣を搬送する際にリジェクトされた紙幣などをリジェクト部１１２は集積する。
【００３０】
硬貨投入部１２０は、ユーザによる硬貨の投入を受け付ける投入口である。なお、図１に示したように、硬貨投入部１２０には、例えばユーザが手動で開閉可能な蓋が設けられていてもよい。
【００３１】
硬貨鑑別部１２２は、硬貨投入部１２０から投入された硬貨が正常な硬貨であるか否かや、当該硬貨の金種などを各種センサによって鑑別する。なお、例えば、制御部１５０は、当該鑑別結果に基づいて、正常な硬貨であると鑑別された硬貨の金種別の枚数を計数する。
【００３２】
硬貨一時保留部１２４には、入金計数時などに一時的に硬貨が集積される。例えば、入金取引時に、正常な硬貨であると硬貨鑑別部１２２により鑑別された硬貨が硬貨一時保留部１２４に一時的に集積される。
【００３３】
硬貨返却箱１２６は、硬貨投入部１２０から投入された硬貨を返却する場所である。例えば、正常な硬貨ではないと硬貨鑑別部１２２により鑑別された硬貨が硬貨返却箱１２６に排出される。また、硬貨の投入後に入金取消がなされた際に、投入された硬貨が硬貨返却箱１２６に排出される。
【００３４】
出金ホッパ１２８は、出金準備金の硬貨が収納される場所である。例えば、入金取引では、硬貨一時保留部１２４に一時的に集積された硬貨が出金ホッパ１２８に搬送され、収納される。また、出金取引時には、例えば出金額に相当する金種別の枚数の硬貨が出金ホッパ１２８から取り出され、そして、硬貨出金箱１３０へ搬送される。
【００３５】
硬貨出金箱１３０は、出金取引時などに硬貨を出金する場所である。例えば、硬貨出金箱１３０は、金種別の硬貨の収納エリアが設けられた引出式の箱であり、そして、出金対象の硬貨は、金種ごとに、対応するエリアに格納される。
【００３６】
カードリーダ部１４０は、接触または近接された所定のカード（例えばＩＣカードやＩＤカードなど）から当該所定のカードに格納されている情報を読み取る。例えば、所定のカードがユーザによりカードリーダ部１４０にかざされると、カードリーダ部１４０は、該当のカードを使用するユーザの識別情報や、当該ユーザに許可されている取引の種類を示す情報などを当該カードから読み取る。なお、現金取引装置１０は、カードリーダ部１４０に加えて、あるいはカードリーダ部１４０に代えて、指紋認識を行う指紋認識部、または暗証番号の入力を受け付ける暗証番号入力部を有してもよい。
【００３７】
操作表示部１４２は、ユーザによる入力を受け付ける入力部としての機能、および、各種画面を表示する表示部としての機能を包含する。表示部としての機能は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置などにより実現される。また、入力部としての機能は例えばタッチパネルにより実現される。なお、表示部および入力部の機能は一体的に構成される代わりに、分離して構成されてもよい。
【００３８】
施封部１４４は、施封する紙幣を集積し、施封する。
【００３９】
レシートプリンタ部１４６は、取引の結果をレシート用紙に印字し、かつ、当該レシート用紙を排出する。
【００４０】
制御部１５０は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）などを用いて、現金取引装置１０の動作を全般的に制御する。例えば、制御部１５０は、利用する機能の種類を選択するためのメニュー画面を操作表示部１４２に表示させ、そして、当該メニュー画面においてユーザにより選択された機能を実行する。
【００４１】
＜１−２．比較例＞
以上、各実施形態に共通する現金取引装置１０の基本構成について説明した。ここで、本発明の特徴を明確に示すために、本発明の比較例に係る現金取引装置９０の売上入金の機能について説明を行う。なお、本比較例に係る現金取引装置９０は、前述した現金取引装置１０と概略同様の構成要素を有するものとする。
【００４２】
まず、現金取引装置９０の操作表示部にメインメニュー（図示省略）が表示されている際に、当該メインメニュー内の「売上入金」ボタンがユーザにより選択されると、現金取引装置９０は、現金の投入を誘導する。具体的には、現金取引装置９０は、まず、操作表示部に投入誘導画面を表示し、そして、紙幣投入部の開口部が閉状態から開状態になるように紙幣シャッタを制御するとともに、硬貨投入部に投入される硬貨の搬送制御を開始する。そして、ユーザは、紙幣を紙幣投入部に投入し、また、硬貨を硬貨投入部に投入する。その後、現金取引装置９０は、紙幣投入部の開口部が開状態から閉状態になるように紙幣シャッタを制御し、そして、投入された紙幣の搬送を開始する。
【００４３】
その後、現金取引装置９０は、投入された現金を計数し、そして、投入された現金の金額を操作表示部に表示する。そして、ユーザにより確認の入力がなされたら、当該現金を各リサイクルカセットおよび出金ホッパに収納する。
【００４４】
｛１−２−１．課題の整理｝
前述したように、本比較例に係る現金取引装置９０は、硬貨投入部において硬貨の搬送制御が行われるのと同時に、紙幣投入部の開口部が閉状態から開状態になる。このため、ユーザが誤って硬貨を紙幣投入部に投入してしまう恐れがある。その結果、誤投入された硬貨の除去に時間がかかり得る。また、誤投入された硬貨が、現金取引装置９０の紙幣部（つまり、紙幣用の機構）内に入り込み、紙幣部が故障してしまい、そして、現金取引装置９０が長時間使用不可能になる恐れがある。
【００４５】
そこで、上記事情を一着眼点にして、各実施形態に係る現金取引装置１０を創作するに至った。各実施形態によれば、紙幣と硬貨とが互いに異なるタイミングに投入されるように誘導することができる。その結果、ユーザが紙幣投入部１００に硬貨を誤投入することを防止することができる。以下、各実施形態の内容について順次詳細に説明する。
【００４６】
＜＜２．各実施形態の詳細な説明＞＞
＜２−１．第１の実施形態＞
｛２−１−１．構成｝
まず、第１の実施形態に係る構成について詳細に説明する。なお、以下では、上記の説明と重複する内容については説明を省略する。
【００４７】
（２−１−１−１．制御部１５０）
第１の実施形態に係る制御部１５０は、入金取引が選択された場合に、紙幣投入用処理と硬貨投入用処理とのうちのいずれか一方を実行し、かつ、当該処理の終了後に紙幣投入用処理と硬貨投入用処理とのうちのいずれか他方を実行する。例えば、入金取引が選択された場合に、制御部１５０は、硬貨投入用処理を紙幣投入用処理よりも先に実行し、かつ、硬貨投入用処理の終了後に紙幣投入用処理を実行する。
【００４８】
ここで、紙幣投入用処理は、紙幣投入部１００の開口部が閉状態から開状態になるように紙幣シャッタ１０２を制御し、例えば所定の時間経過後に、当該開口部が開状態から閉状態になるように紙幣シャッタ１０２を制御し、かつ、開状態になった際に当該開口部に投入された全ての紙幣の、現金取引装置１０内での搬送を制御することを含み得る。また、硬貨投入用処理は、硬貨投入部１２０に投入された全ての硬貨の搬送を制御することを含み得る。なお、紙幣投入用処理は、本発明における第１の処理の一例であり、また、硬貨投入用処理は、本発明における第２の処理の一例である。
【００４９】
‐紙幣投入用処理
以下、上記の紙幣投入用処理および上記の硬貨投入用処理の内容についてさらに詳細に説明を行う。紙幣投入用処理では、例えば、制御部１５０は、まず、紙幣投入部１００への紙幣の投入を誘導するための紙幣投入誘導画面を操作表示部１４２に表示させる。次に、制御部１５０は、紙幣投入誘導画面の表示以降に紙幣投入部１００の開口部が閉状態から開状態になるように紙幣シャッタ１０２を移動させる。そして、所定の時間経過後に、制御部１５０は、当該開口部が開状態から閉状態になるように紙幣シャッタ１０２を移動させる。そして、制御部１５０は、当該開口部に投入された全ての紙幣の各々が現金取引装置１０内の適切な搬送先に搬送されるように、当該紙幣の搬送を制御する。
【００５０】
図３は、紙幣投入誘導画面の表示例（紙幣投入誘導画面２０）を示した図である。図３に示したように、紙幣投入誘導画面２０は、紙幣の投入を促すメッセージ２００と、現金取引装置１０における紙幣投入部１００の位置を示す画像２０２とを含む。この表示例によれば、ユーザは、現在紙幣だけを投入する必要があることと、紙幣投入部１００の位置とを同時に理解することができる。
【００５１】
‐硬貨投入用処理
また、硬貨投入用処理では、例えば、制御部１５０は、まず、硬貨投入部１２０への硬貨の投入を誘導するための硬貨投入誘導画面を操作表示部１４２に表示させる。そして、硬貨投入誘導画面の表示以降に、制御部１５０は、硬貨投入部１２０への投入が検知された全ての硬貨の各々が現金取引装置１０内の適切な搬送先に搬送されるように、当該硬貨の搬送を制御する。
【００５２】
図４は、硬貨投入誘導画面の表示例（硬貨投入誘導画面２２）を示した図である。図４に示したように、硬貨投入誘導画面２２は、硬貨の投入を促すメッセージ２２０と、現金取引装置１０における硬貨投入部１２０の位置を示す画像２２２とを含む。この表示例によれば、ユーザは、現在硬貨だけを投入する必要があること、および、硬貨投入部１２０の位置を理解することができる。
【００５３】
｛２−１−２．処理の流れ｝
以上、第１の実施形態に係る構成について説明した。次に、第１の実施形態に係る処理の流れについて、図５〜図７を参照して説明する。
【００５４】
（２−１−２−１．処理の全体的な流れ）
図５は、第１の実施形態に係る処理の全体的な流れを示したフローチャートである。図５に示したように、まず、現金取引装置１０の操作表示部１４２に表示されているメニュー画面において、ユーザは「売上入金」ボタンを選択する（Ｓ１０１）。
【００５５】
その後、制御部１５０は、後述する「硬貨投入用制御」を行う（Ｓ１０３）。
【００５６】
続いて、制御部１５０は、後述する「紙幣投入用制御」を行う（Ｓ１０５）。
【００５７】
その後、制御部１５０は、Ｓ１０３およびＳ１０５で入金された金額等をレシート用紙にレシートプリンタ部１４６に印字させ、そして、印字後のレシート用紙を排出させる（Ｓ１０７）。
【００５８】
（２−１−２−２．硬貨投入用制御）
ここで、図６を参照して、Ｓ１０３の処理（「硬貨投入用制御」）の流れについて詳細に説明する。図６に示したように、まず、操作表示部１４２は、制御部１５０の制御に従って、例えば図４に示したような硬貨投入誘導画面を表示する（Ｓ１２１）。
【００５９】
その後、硬貨が投入されたことが硬貨投入部１２０において検出された場合には（Ｓ１２３：Ｙｅｓ）、まず、制御部１５０は、投入された個々の硬貨の、硬貨鑑別部１２２による鑑別結果に基づいて、投入された硬貨の金種別の枚数を計数する（Ｓ１２５）。そして、制御部１５０は、投入された個々の硬貨の、硬貨鑑別部１２２による鑑別結果に基づいて、個々の硬貨が適切な搬送先に搬送されるように当該硬貨の搬送を制御する（Ｓ１２７）。そして、当該処理は終了する。
【００６０】
一方、硬貨の投入が検出されない場合（例えば操作表示部１４２において硬貨の投入のキャンセル操作が行われた場合など）には（Ｓ１２３：Ｎｏ）、制御部１５０は、硬貨の投入が中止されたと判断する（Ｓ１２９）。そして、当該処理は終了する。
【００６１】
（２−１−２−３．紙幣投入用制御）
次に、図７を参照して、Ｓ１０５の処理（「紙幣投入用制御」）の流れについて詳細に説明する。図７に示したように、まず、操作表示部１４２は、制御部１５０の制御に従って、例えば図３に示したような紙幣投入誘導画面を表示する（Ｓ１４１）。
【００６２】
続いて、制御部１５０は、紙幣投入部１００の開口部が閉状態から開状態になるように紙幣シャッタ１０２を制御する（Ｓ１４３）。
【００６３】
その後、紙幣投入部１００に対して紙幣が投入された場合には（Ｓ１４５：Ｙｅｓ）、まず、制御部１５０は、紙幣投入部１００の開口部が開状態から閉状態になるように紙幣シャッタ１０２を制御する（Ｓ１４７）。次に、制御部１５０は、投入された個々の紙幣の、紙幣鑑別部１０４による鑑別結果に基づいて、投入された紙幣の金種別の枚数を計数する（Ｓ１４９）。その後、制御部１５０は、投入された個々の紙幣の、紙幣鑑別部１０４による鑑別結果に基づいて、個々の紙幣が適切な搬送先に搬送されるように当該紙幣の搬送を制御する（Ｓ１５１）。そして、当該処理は終了する。
【００６４】
一方、紙幣投入部１００に対して紙幣が投入されない場合（例えば操作表示部１４２において紙幣の投入のキャンセル操作が行われた場合など）には（Ｓ１４５：Ｎｏ）、制御部１５０は、紙幣の投入が中止されたと判断する（Ｓ１５３）。そして、制御部１５０は、紙幣投入部１００の開口部が開状態から閉状態になるように紙幣シャッタ１０２を制御する（Ｓ１５５）。そして、当該処理は終了する。
【００６５】
｛２−１−３．効果｝
以上説明したように、第１の実施形態に係る現金取引装置１０は、入金取引が選択された場合に、硬貨投入用処理を紙幣投入用処理よりも先に実行し、かつ、硬貨投入用処理の終了後に紙幣投入用処理を実行する。これにより、硬貨投入後に、紙幣シャッタ１０２が開いて紙幣投入待ちの状態になる。従って、硬貨が手元にない状態で紙幣シャッタ１０２が開く（つまり紙幣投入部１００の開口部が閉状態から開状態になる）ので、ユーザが紙幣投入部１００に硬貨を誤投入することを防止することができる。
【００６６】
また、仮に一回目の硬貨投入用処理において硬貨を投入しきれず手元に残った場合であっても、直前に硬貨投入部１２０へ硬貨を投入したことにより硬貨投入部１２０の位置をユーザは認識している。従って、残っている硬貨を紙幣投入部１００へ誤投入することも防止することができる。
【００６７】
＜２−２．第２の実施形態＞
以上、第１の実施形態について説明した。次に、第２の実施形態について説明する。後述するように、第２の実施形態によれば、紙幣と硬貨とのいずれを先に投入するかをユーザは選択することができる。
【００６８】
｛２−２−１．構成｝
第２の実施形態に係る現金取引装置１０に含まれる構成要素は、第１の実施形態と同様である。以下では、第１の実施形態とは異なる機能を有する構成要素についてのみ説明を行う。なお、後述する第３〜第４の実施形態に関しても同様である。
【００６９】
（２−２−１−１．制御部１５０）
第２の実施形態に係る制御部１５０は、入金取引が選択された場合に、まず、紙幣と硬貨とのうちのいずれを先に投入するかを選択させるための投入順序選択画面を操作表示部１４２に表示させる。そして、制御部１５０は、投入順序選択画面に対するユーザの操作に応じて、上記の紙幣投入用処理と上記の硬貨投入用処理とのうちのいずれか一方を実行し、かつ、当該処理の終了後に上記の紙幣投入用処理と上記の硬貨投入用処理とのうちのいずれか他方を実行する。なお、投入順序選択画面は、本発明における選択画面の一例である。
【００７０】
例えば、投入順序選択画面において紙幣を先に投入することが選択された場合には、制御部１５０は、上記の紙幣投入用処理を上記の硬貨投入用処理よりも先に実行し、かつ、上記の紙幣投入用処理の終了後に上記の硬貨投入用処理を実行する。また、投入順序選択画面において硬貨を先に投入することが選択された場合には、制御部１５０は、上記の硬貨投入用処理を上記の紙幣投入用処理よりも先に実行し、かつ、上記の硬貨投入用処理の終了後に上記の紙幣投入用処理を実行する。
【００７１】
図８は、投入順序選択画面の表示例（投入順序選択画面３０）を示した図である。図８に示したように、投入順序選択画面３０は、（紙幣よりも）硬貨を先に投入することを選択するための硬貨選択ボタン３００ａ、および、（硬貨よりも）紙幣を先に投入することを選択するための紙幣選択ボタン３００ｂを含む。
【００７２】
｛２−２−２．処理の流れ｝
以上、第２の実施形態に係る構成について説明した。次に、第２の実施形態に係る処理の流れについて、図９を参照して説明する。図９は、第２の実施形態に係る処理の流れを示したフローチャートである。なお、図９に示したＳ２０１は、（図５に示した）第１の実施形態におけるＳ１０１と同様である。
【００７３】
図９に示したように、Ｓ２０１の後、操作表示部１４２は、制御部１５０の制御に従って、例えば図８に示したような投入順序選択画面を表示する（Ｓ２０３）。
【００７４】
当該投入順序選択画面において、硬貨を先に投入することがユーザにより選択された場合には（Ｓ２０５：Ｙｅｓ）、制御部１５０は、第１の実施形態と同様に（図５に示した）Ｓ１０３〜Ｓ１０７の処理を順々に行う（Ｓ２０７〜Ｓ２１１）。そして、当該処理は終了する。
【００７５】
一方、当該投入順序選択画面において、紙幣を先に投入することがユーザにより選択された場合には（Ｓ２０５：Ｎｏ）、まず、制御部１５０は、（図５に示した）Ｓ１０５の処理を行う（Ｓ２１３）。続いて、制御部１５０は、（図５に示した）Ｓ１０３の処理を行う（Ｓ２１５）。続いて、制御部１５０は、（図５に示した）Ｓ１０７の処理を行う（Ｓ２１１）。そして、当該処理は終了する。
【００７６】
｛２−２−３．効果｝
以上説明したように、第２の実施形態に係る現金取引装置１０は、入金取引が選択された場合に、投入順序選択画面に対するユーザの操作に応じて紙幣投入用処理と硬貨投入用処理とのうちのいずれか一方を実行し、かつ、当該処理の終了後に紙幣投入用処理と硬貨投入用処理とのうちのいずれか他方を実行する。このため、ユーザが紙幣投入部１００に硬貨を誤投入することを防止することができる。
【００７７】
また、第２の実施形態によれば、現金の投入前に、紙幣と硬貨との投入順序を決めることが要求されるので、交互に投入する必要があることがユーザに理解されるとともに、投入先に注意を払うようになることが期待される。従って、誤投入をより防止することが期待できる。
【００７８】
＜２−３．第３の実施形態＞
以上、第２の実施形態について説明した。次に、第３の実施形態について説明する。後述するように、第３の実施形態によれば、ユーザごとに予め設定しておいた情報によって、紙幣と硬貨とのいずれを先に投入するかを決めることができる。
【００７９】
｛２−３−１．構成｝
第３の実施形態に係る制御部１５０は、入金取引が選択された場合に、カードリーダ部１４０により読み取られたユーザの識別情報に応じて上記の紙幣投入用処理と上記の硬貨投入用処理とのうちのいずれか一方を実行し、かつ、当該処理の終了後に上記の紙幣投入用処理と上記の硬貨投入用処理とのうちのいずれか他方を実行する。
【００８０】
例えば、制御部１５０は、まず、カードリーダ部１４０により読み取られたユーザの識別情報に対応付けて登録されている、紙幣と硬貨との投入順序（または、紙幣と硬貨とのうちいずれを先に投入するかの設定情報）を特定する。そして、制御部１５０は、特定した情報に従って、上記の紙幣投入用処理と上記の硬貨投入用処理とを交互に実行する。なお、当該設定情報は、現金取引装置１０内に記憶されていてもよい。または、有線通信または無線通信により現金取引装置１０と通信可能な他の装置（図示省略）内に当該設定情報は記憶されており、かつ、制御部１５０は、当該設定情報を当該他の装置から取得してもよい。
【００８１】
｛２−３−２．処理の流れ｝
以上、第３の実施形態に係る構成について説明した。次に、第３の実施形態に係る処理の流れについて、図１０を参照して説明する。図１０は、第３の実施形態に係る処理の流れを示したフローチャートである。
【００８２】
図１０に示したように、まず、ユーザは、ＩＤカードをカードリーダ部１４０にかざす（または、挿入する）。そして、カードリーダ部１４０は、該当のＩＤカードに格納されている情報を読み取る（Ｓ３０１）。
【００８３】
なお、図１０に示したＳ３０３は、（図５に示した）第１の実施形態におけるＳ１０１と同様である。
【００８４】
Ｓ３０３の後、制御部１５０は、Ｓ３０１で読み取られた情報に対応付けられている、紙幣と硬貨との投入順序の設定情報を特定する（Ｓ３０５）。
【００８５】
Ｓ３０５で特定された設定情報において、硬貨を先に投入することが設定されている場合には（Ｓ３０７：Ｙｅｓ）、制御部１５０は、第１の実施形態と同様に（図５に示した）Ｓ１０３〜Ｓ１０７の処理を順々に行う（Ｓ３０９〜Ｓ３１３）。そして、当該処理は終了する。
【００８６】
一方、Ｓ３０５で特定された設定情報において、紙幣を先に投入することが設定されている場合には（Ｓ３０７：Ｎｏ）、制御部１５０は、第２の実施形態と同様に（図９に示した）Ｓ２１３、Ｓ２１５、および、Ｓ２１１の処理を順々に行う（Ｓ３１５、Ｓ３１７、および、Ｓ３１３）。そして、当該処理は終了する。
【００８７】
｛２−３−３．効果｝
以上説明したように、第３の実施形態に係る現金取引装置１０は、入金取引が選択された場合に、カードリーダ部１４０により読み取られたユーザの識別情報に応じて紙幣投入用処理と硬貨投入用処理とのうちのいずれか一方を実行し、かつ、当該処理の終了後に紙幣投入用処理と硬貨投入用処理とのうちのいずれか他方を実行する。このため、ユーザが紙幣投入部１００に硬貨を誤投入することを防止することができる。
【００８８】
また、第３の実施形態によれば、ユーザごとに紙幣と硬貨との投入順序が予め設定され得るので、例えば第２の実施形態と比べて、ユーザが投入順序を毎回選択する必要がないという利点がある。
【００８９】
＜２−４．第４の実施形態＞
以上、第３の実施形態について説明した。ところで、例えば店舗の営業時間の終了後など、特定の時間帯に硬貨が大量投入される場合も想定される。次に、第４の実施形態について説明する。後述するように、第４の実施形態によれば、現在が、所定の時間帯内であるか否かによって、紙幣と硬貨との投入順序が決定される。
【００９０】
｛２−４−１．構成｝
第４の実施形態に係る制御部１５０は、入金取引が選択された場合に、現在が所定の時間帯内であるか否かに応じて上記の紙幣投入用処理と上記の硬貨投入用処理とのうちのいずれか一方を実行し、かつ、当該処理の終了後に上記の紙幣投入用処理と上記の硬貨投入用処理とのうちのいずれか他方を実行する。ここで、所定の時間帯には、例えば、硬貨が大量に投入されることが予測される時間帯などが予め設定されてもよい。
【００９１】
例えば、現在が所定の時間帯内である場合には、制御部１５０は、上記の硬貨投入用処理を上記の紙幣投入用処理よりも先に実行し、かつ、上記の硬貨投入用処理の終了後に上記の紙幣投入用処理を実行する。また、現在が所定の時間帯外である場合には、制御部１５０は、上記の紙幣投入用処理を上記の硬貨投入用処理よりも先に実行し、かつ、上記の紙幣投入用処理の終了後に上記の硬貨投入用処理を実行する。
【００９２】
｛２−４−２．処理の流れ｝
以上、第４の実施形態に係る構成について説明した。次に、第４の実施形態に係る処理の流れについて、図１１を参照して説明する。図１１は、第４の実施形態に係る処理の流れを示したフローチャートである。なお、図１１に示したＳ４０１は、（図５に示した）第１の実施形態におけるＳ１０１と同様である。
【００９３】
図１１に示したように、Ｓ４０１の後、制御部１５０は、現在が所定の時間帯内であるか否かを判定する（Ｓ４０３）。現在が所定の時間帯内である場合には（Ｓ４０３：Ｙｅｓ）、制御部１５０は、第１の実施形態と同様に（図５に示した）Ｓ１０３〜Ｓ１０７の処理を順々に行う（Ｓ４０５〜Ｓ４０９）。そして、当該処理は終了する。
【００９４】
一方、現在が所定の時間帯外である場合には（Ｓ４０３：Ｎｏ）、制御部１５０は、第２の実施形態と同様に（図９に示した）Ｓ２１３、Ｓ２１５、および、Ｓ２１１の処理を順々に行う（Ｓ４１１、Ｓ４１３、および、Ｓ４０９）。そして、当該処理は終了する。
【００９５】
｛２−４−３．効果｝
以上説明したように、第４の実施形態に係る現金取引装置１０は、入金取引が選択された場合に、現在が所定の時間帯内であるか否かに応じて紙幣投入用処理と硬貨投入用処理とのうちのいずれか一方を実行し、かつ、当該処理の終了後に紙幣投入用処理と硬貨投入用処理とのうちのいずれか他方を実行する。このため、ユーザが紙幣投入部１００に硬貨を誤投入することを防止することができる。
【００９６】
また、第４の実施形態によれば、時間帯によって紙幣と硬貨との投入順序が予め設定されるので、例えば第２の実施形態と比べて、ユーザが投入順序を毎回選択する必要がないという利点がある。
【００９７】
＜＜３．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９８】
例えば、紙幣投入部１００には、紙幣投入者の手を検知する手検知センサが設けられていてもよい。この場合、制御部１５０は、手検知センサが何も検知しなくなった場合に、紙幣投入部１００の開口部が開状態から閉状態になるように紙幣シャッタ１０２を制御してもよい。
【００９９】
また、前述した各実施形態では現金取引装置１０が店舗などに設置される入出金機である例について説明したが、かかる例に限定されない。例えば、現金取引装置１０は、商業施設などに設置され、かつ、入出金を管理するための現金入出金装置であってもよいし、または、例えば金融機関の営業店などに設置される自動取引装置であってもよい。
【０１００】
また、前述した各実施形態に係る処理の流れにおける各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。また、記載されたステップのうちの一部が省略されたり、または、別のステップがさらに追加されてもよい。
【符号の説明】
【０１０１】
１０、９０  現金取引装置
１００  紙幣投入部
１０２  紙幣シャッタ
１０４  紙幣鑑別部
１０６  紙幣一時保留部
１０８ａ  万券カセット
１０８ｂ  五千券カセット
１０８ｃ  千券カセット
１１０  売上回収カセット
１１２  リジェクト部
１２０  硬貨投入部
１２２  硬貨鑑別部
１２４  硬貨一時保留部
１２６  硬貨返却箱
１２８  出金ホッパ
１３０  硬貨出金箱
１４０  カードリーダ部
１４２  操作表示部
１４４  施封部
１４６  レシートプリンタ部
１５０  制御部
【図１】
2019046129.tif 000003
【図２】
2019046129.tif 000004
【図３】
2019046129.tif 000005
【図４】
2019046129.tif 000006
【図５】
2019046129.tif 000007
【図６】
2019046129.tif 000008
【図７】
2019046129.tif 000009
【図８】
2019046129.tif 000010
【図９】
2019046129.tif 000011
【図１０】
2019046129.tif 000012
【図１１】
2019046129.tif 000013